(57)【要約】【課題】カートリッジの種類を確認せずに印刷処理を要求した場合でも、不適切なカートリッジによる印刷を抑止する事を可能にすると同時に、蓄積後のＭＩＣＲジョブ文書と通常ジョブの識別及び印刷を容易にすること。【解決手段】画像形成装置は、通常印刷ジョブ又はＭＩＣＲ印刷ジョブを識別する手段を持ち、ＭＩＣＲカートリッジに適応する印刷ジョブが要求された時に、印刷ジョブを蓄積する手段を有する。【選択図】図１
2009105568.tif 000002
【特許請求の範囲】
【請求項１】
通常印刷ジョブ又はＭＩＣＲ印刷ジョブを識別する手段を持ち、ＭＩＣＲカートリッジに適応する印刷ジョブが要求された時に、印刷ジョブを蓄積する手段を有することを特徴とする画像形成装置。
【請求項２】
印刷ジョブの蓄積時にジョブの属性にＭＩＣＲジョブであることを示す識別子を付加する事を特徴とする請求項１記載の画像形成装置。
【請求項３】
蓄積文書の表示制御において、前記属性に基づき蓄積したＭＩＣＲジョブをユーザーが識別可能にする手段を有する事を特徴とする請求項２記載の画像形成装置。
【請求項４】
識別可能な手段がＭＩＣＲの属性を文字列やアイコン等を用いて通常ジョブ表示との差別化を行い識別性を高めた表示である事を特徴とする請求項３記載の画像形成装置。
【請求項５】
識別可能な手段が通常ジョブとＭＩＣＲジョブの表示メニューを分離して構成したものである事を特徴とする請求項３記載の画像形成装置。
【請求項６】
通常カートリッジ及びＭＩＣＲカートリッジの装着状態を識別する手段を持ち、ＭＩＣＲカートリッジが装着されていないときは、蓄積文書選択においてＭＩＣＲジョブを選択不可とする表示／制御手段を有することを特徴とする画像形成装置。
【請求項７】
選択不可とする手段がＭＩＣＲジョブのみ表示しないことを特徴とする請求項６記載の画像形成装置。
【請求項８】
選択不可とする手段がＭＩＣＲジョブのみグレーダウン表示し、選択不可とすることを特徴とする請求項６記載の画像形成装置。
【請求項９】
請求項１〜８記載の画像形成装置の機能を制御するプログラム。
【請求項１０】
請求項９記載のプログラムを記録および実行可能な記録媒体。
【発明の詳細な説明】
【技術分野】
【０００１】
本発明は、通常カートリッジとＭＩＣＲカートリッジを使用することができ、ＭＩＣＲジョブを蓄積することができる画像形成装置に関する。
【背景技術】
【０００２】
近年、画像形成装置内に読み取った文書情報を蓄積し、その情報をネットワークを介して複数人で情報共有・印刷・送信等を行うことが出来るようになっている。また、文書蓄積の際はその情報の内容が分る様に文書名を付加することが一般的になっている。
【０００３】
ここで、画像形成装置本体と画像形成装置本体に着脱自在なプロセスカートリッジを備えた画像形成装置において、プロセスカートリッジを交換することによりＭＩＣＲプリンタまたは通常プリンタとして使用できる画像形成装置が開示されている（例えば、特許文献１参照）。
【特許文献１】特開平１０−１６１５０８号公報
【発明の開示】
【発明が解決しようとする課題】
【０００４】
しかし、上記の従来技術では、プロセスカートリッジの識別結果をＮＶ−ＲＡＭ（不揮発性メモリ）に記録し、通常カートリッジまたはＭＩＣＲカートリッジの装着状態をＵＩ（ユーザインタフェース）により識別しているが、ユーザは期待するカートリッジで印刷するためには、プリンタを直接見に行かなければならず、それを怠ると期待する印刷結果を得られないという問題があった。
【０００５】
また、実使用上の問題として、通常ジョブ及びＭＩＣＲジョブそれぞれのジョブを蓄積した場合には通常ジョブとＭＩＣＲジョブが混じってしまい、装着したカートリッジで印刷すべきではないジョブも選択肢に出てきてしまうために、適応したジョブがどれかユーザが判別できないという問題があった。さらに、通常ジョブをＭＩＣＲカートリッジで印刷することは特に問題とはならないが、ＭＩＣＲジョブを通常カートリッジで印刷すると、偽小切手として流通する恐れがあり、発行者の信用問題となる懸念があった。
【０００６】
本発明は、印刷要求されたジョブがＭＩＣＲジョブである場合に必ず蓄積することで、カートリッジの種類を確認せずに印刷処理を要求した場合でも、不適切なカートリッジによる印刷を抑止する事を可能にすると同時に、蓄積後のＭＩＣＲジョブ文書と通常ジョブの識別及び印刷を容易にすることを目的とする。
【課題を解決するための手段】
【０００７】
請求項１記載の発明は、通常印刷ジョブ又はＭＩＣＲ印刷ジョブを識別する手段を持ち、ＭＩＣＲカートリッジに適応する印刷ジョブが要求された時に、印刷ジョブを蓄積する手段を有することを特徴とする画像形成装置である。
【０００８】
請求項２記載の発明は、請求項１記載の画像形成装置において、印刷ジョブの蓄積時にジョブの属性にＭＩＣＲジョブであることを示す識別子を付加する事を特徴とする。
【０００９】
請求項３記載の発明は、請求項２記載の画像形成装置において、蓄積文書の表示制御において、前記属性に基づき蓄積したＭＩＣＲジョブをユーザが識別可能にする手段を有する事を特徴とする。
【００１０】
請求項４記載の発明は、請求項３記載の画像形成装置において、識別可能な手段がＭＩＣＲの属性を文字列やアイコン等を用いて通常ジョブ表示との差別化を行い識別性を高めた表示である事を特徴とする。
【００１１】
請求項５記載の発明は、請求項３記載の画像形成装置において、識別可能な手段が通常ジョブとＭＩＣＲジョブの表示メニューを分離して構成したものである事を特徴とする。
【００１２】
請求項６記載の発明は、通常カートリッジ及びＭＩＣＲカートリッジの装着状態を識別する手段を持ち、ＭＩＣＲカートリッジが装着されていないときは、蓄積文書選択においてＭＩＣＲジョブを選択不可とする表示／制御手段を有することを特徴とする画像形成装置である。
【００１３】
請求項７記載の発明は、請求項６記載の画像形成装置において、選択不可とする手段がＭＩＣＲジョブのみ表示しないことを特徴とする。
【００１４】
請求項８記載の発明は、請求項６記載の画像形成装置において、選択不可とする手段がＭＩＣＲジョブのみグレーダウン表示し、選択不可とすることを特徴とする。
【００１５】
請求項９記載の発明は、請求項１〜８記載の画像形成装置の機能を制御するプログラムである。
【００１６】
請求項１０記載の発明は、請求項９記載のプログラムを記録および実行可能な記録媒体である。
【発明の効果】
【００１７】
ユーザが装着されたカートリッジの種類を確認せずに印刷要求を行った場合でもＭＩＣＲジョブは蓄積することができ、あやまったカートリッジを使用した誤印刷を無くすことができる。又、通常ジョブとＭＩＣＲジョブの識別あるいは装着したカートリッジに適応したジョブを選択しやすくすることができる。
【発明を実施するための最良の形態】
【００１８】
図１に本発明の第一の実施の形態のシステム構成を示す。ＰＣとプリンタが接続されている。
【００１９】
図２にプリンタのモジュール構成図を示す。通信制御部、記憶装置、ユーザインターフェイス制御部、操作パネル、機器情報管理部、画像形成制御部、印刷制御部を備える。
【００２０】
次に、図３を参照して本実施の形態の動作を説明する。図３は、本発明の第一の実施形態のＭＩＣＲジョブ蓄積動作を示すフローチャートである。
【００２１】
まず、ＭＩＣＲジョブを要求されたか判断し（Ｓ３１）、要求された場合、記憶装置へ蓄積し（Ｓ３２）、要求されなかったら通常通り印刷する（Ｓ３３）。
【００２２】
図４に、ＭＩＣＲジョブの蓄積が発生したときの画面例を示す。
【００２３】
次に、図面を参照して本発明の第二の実施形態の動作を説明する。図５は蓄積文書の画面を表示する時、ＭＩＣＲジョブと一致するジョブにはヨコにアイコンを表示する場合の制御例である。
【００２４】
まず、ジョブリストを検索し、ジョブを表示する（Ｓ５１）。ジョブの種類がＭＩＣＲジョブか判断し（Ｓ５２）、そうである場合、一致したジョブはアイコンを追加表示する（Ｓ５３）。そして、リストの最後か判定し（Ｓ５４）、この処理を繰り返す。
【００２５】
図６に、蓄積文書を表示したときにＭＩＣＲジョブの表示のヨコにアイコン（Ｍ）を配置した画面例を示す。図６において、カートリッジに適応しないジョブをグレーダウン表示にするなどの応用も可能である。
【００２６】
図７は、本発明の第二の実施形態の動作を示す別のフローチャートである。蓄積文書選択画面を表示する時、装着カートリッジと一致するジョブのみを表示する場合の制御例である。
【００２７】
まず、ジョブリストを検索する（Ｓ７１）。ジョブとカートリッジの種類が一致しているか判断し（Ｓ７２）、そうである場合、一致したジョブのみ表示する（Ｓ７３）。そして、リストの最後か判定し（Ｓ７４）、この処理を繰り返す。
【００２８】
次に、図面を参照して本発明の第三の実施形態の動作を説明する。図８は本発明の第三の実施形態のジョブ種類別の蓄積動作を示すフローチャートである。
【００２９】
まず、ジョブ種類を取得する（Ｓ８１）。ジョブの種類がＭＩＣＲジョブか判断し（Ｓ８２）、そうである場合、ＭＩＣＲジョブリストに追加する（Ｓ８３）。そうでない場合、通常ジョブリストに追加する（Ｓ８４）。
【００３０】
図９に、ジョブの種類別に蓄積文書を表示したときの画面例を示す。
【００３１】
図１０に、装着（ＭＩＣＲ）カートリッジに適応したジョブ種類が有効になるように蓄積文書を表示したときの画面例を示す。
【００３２】
なお、上述する各実施の形態は、本発明の好適な実施の形態であり、本発明の要旨を逸脱しない範囲内において種々の変更実施が可能である。例えば、上記のＭＩＣＲカートリッジに変わって、通常カートリッジを含む複数種類のカートリッジを使用可能な画像形成装置に応用可能である。
【図面の簡単な説明】
【００３３】
【図１】本発明のプリンタとＰＣのシステム構成図である。
【図２】プリンタのモジュール構成図である。
【図３】本発明の第一の実施形態のＭＩＣＲジョブ蓄積動作を示すフローチャートである。
【図４】ＭＩＣＲジョブの蓄積が発生したときの画面例を示す図である。
【図５】本発明の第二の実施形態の動作を示すフローチャートである。
【図６】蓄積文書を表示したときにＭＩＣＲジョブの表示のヨコにアイコン（Ｍ）を配置した画面例である。
【図７】本発明の第二の実施形態の動作を示す別のフローチャートである。
【図８】本発明の第三の実施形態のジョブ種類別の蓄積動作を示すフローチャートである。
【図９】ジョブの種類別に蓄積文書を表示したときの画面例を示す図である。
【図１０】装着（ＭＩＣＲ）カートリッジに適応したジョブ種類が有効になるように蓄積文書を表示したときの画面例を示す図である。
【図１】
2009105568.tif 000003
【図２】
2009105568.tif 000004
【図３】
2009105568.tif 000005
【図４】
2009105568.tif 000006
【図５】
2009105568.tif 000007
【図６】
2009105568.tif 000008
【図７】
2009105568.tif 000009
【図８】
2009105568.tif 000010
【図９】
2009105568.tif 000011
【図１０】
2009105568.tif 000012